(57)【要約】  本発明は、コンパクトでありながらも、構成が簡単で、使用が便利で、騒音遮断効果が向上した騒音遮断装置を有するブレンダーを提供するためのものであって、食物を加工するためのブレンダーにおいて、内部に収容された前記食物を加工するための加工部材が回転可能に装着される容器；前記容器に連結される取っ手；前記容器が上側に搭載され、内部に前記加工部材を回転させるための駆動力を供給する駆動装置を収容する本体；及び前記本体に連結され、前記容器を収容する閉鎖空間を形成するための騒音遮断装置として、前記取っ手が前記騒音遮断装置の外部に配置されるように構成される前記騒音遮断装置；を含む。【選択図】図１
2019516418.tif 000002
【特許請求の範囲】
【請求項１】
食物を加工するためのブレンダーにおいて、
内部に収容された前記食物を加工するための加工部材が回転可能に装着される容器；
前記容器に連結される取っ手；
前記容器が上側に搭載され、内部に前記加工部材を回転させるための駆動力を供給する駆動装置を収容する本体；及び
前記本体に連結され、前記容器を収容する閉鎖空間を形成するための騒音遮断装置であって、前記取っ手が前記騒音遮断装置の外部に配置されるように構成される前記騒音遮断装置；を含む、ブレンダー。
【請求項２】
前記騒音遮断装置は、前記本体の上面に連結され、上端が開放された下部遮断壁と、前記下部遮断壁の上部に回転可能に連結され、前記下部遮断壁の開放された上端を開閉できる上部遮断壁と、を含む、請求項１に記載のブレンダー。
【請求項３】
前記上部遮断壁の下部には、前記取っ手が前記騒音遮断装置の外部に延長されることを許容する取っ手露出溝が形成される、請求項２に記載のブレンダー。
【請求項４】
前記取っ手は、前記容器に直接連結される取っ手取付部と、前記取っ手取付部から下側に延長される把持部と、を含み、前記取っ手取付部は、前記上部遮断壁の閉鎖時に前記取っ手露出溝に嵌合される、請求項３に記載のブレンダー。
【請求項５】
前記取っ手露出溝にはシーリング部材が設けられる、請求項３に記載のブレンダー。
【請求項６】
前記本体の上面には、前記下部遮断壁が外側表面を取り囲むように連結される連結突起が上側に突出する、請求項２に記載のブレンダー。
【請求項７】
前記容器の下部には、前記連結突起の内側表面に接するように挿入される装着部が設けられる、請求項６に記載のブレンダー。
【請求項８】
前記ブレンダーは排気装置をさらに含み、前記排気装置は、前記本体に配置される真空ポンプと、前記上部遮断壁に配置される吸入部と、前記真空ポンプと前記吸入部とを連結する排気ラインと、を含む、請求項２に記載のブレンダー。
【請求項９】
前記ブレンダーは、前記上部遮断壁を回転させるヒンジと、前記本体から縦方向に延長され、前記ヒンジに連結されるヒンジ柱と、をさらに含み、前記排気ラインは前記ヒンジ柱を通して延長される、請求項８に記載のブレンダー。
【請求項１０】
前記排気ラインは２つの部分で構成され、前記２つの部分の互いに向かい合う一端には、前記上部遮断壁の閉鎖時には互いを連結させ、前記上部遮断壁の開放時には互いを分離させるように構成されるカップリング部材が設けられる、請求項８に記載のブレンダー。
【請求項１１】
前記上部遮断壁には圧力ゲージが設けられ、前記圧力ゲージは、前記排気ラインと流体的に連通するシリンダー部材と、前記シリンダー部材内でスライディング可能なピストン部材と、前記ピストン部材に復元力を加えることができる復元力部材と、を含む、請求項８に記載のブレンダー。
【請求項１２】
前記ブレンダーは、前記上部遮断壁の開閉により、互いに接触し、互いに離隔するように前記上部遮断壁及び下部遮断壁又はこれらの周辺部に設けられる感知部及び第１被感知部をさらに含み、前記感知部と前記第１被感知部とが接触すると前記駆動装置が回転し、前記感知部と前記第１被感知部とが離隔すると前記駆動装置の回転が停止する、請求項２に記載のブレンダー。
【請求項１３】
前記ブレンダーは、前記蓋に形成される押し棒挿入口を開閉できるように前記蓋にヒンジ式で連結されるソケットと、前記ソケットに設けられる第２被感知部と、をさらに含み、前記第２被感知部は、前記ソケットの開放時に前記感知部に接触できるように設けられ、前記駆動装置の回転を可能にする、請求項１２に記載のブレンダー。
【請求項１４】
前記下部遮断壁は前記本体と着脱可能に連結される、請求項２に記載のブレンダー。
【請求項１５】
前記騒音遮断装置は、下端が開放され、上端が閉鎖され、内部が空洞となっている柱形状である単一部材の騒音遮断壁を含み、前記取っ手は、前記容器の下部に連結されて上側に延長される、請求項１に記載のブレンダー。
【請求項１６】
前記本体の上面には、前記騒音遮断壁の開放された下端が外側表面を取り囲むように連結される連結突起が上側に突出する、請求項１５に記載のブレンダー。
【請求項１７】
前記容器の下部には、前記連結突起の内側表面に接するように挿入される装着部が設けられる、請求項１６に記載のブレンダー。
【請求項１８】
前記連結突起には、前記取っ手が前記騒音遮断壁の外部に延長されることを許容する取っ手露出溝が形成される、請求項１５に記載のブレンダー。
【請求項１９】
前記騒音遮断壁の下端には、前記取っ手が延長されることを許容する取っ手露出溝が形成される、請求項１５に記載のブレンダー。
【請求項２０】
前記ブレンダーは排気装置をさらに含み、前記排気装置は、前記本体に配置される真空ポンプと、前記騒音遮断壁の上部に配置される吸入部と、前記真空ポンプと前記吸入部とを連結する排気ラインと、を含む、請求項１５に記載のブレンダー。
【発明の詳細な説明】
【技術分野】
【０００１】
本発明は、ブレンダーに関し、より具体的には、コンパクトで、構成が簡単で、且つ使用が便利で、騒音遮断効果が向上した騒音遮断装置を含むブレンダーに関する。
【背景技術】
【０００２】
一般に、ブレンダーは、食物を加工（例えば、ブレンディング及びクラッシング）するための電子機器であって、作動中にブレンダー本体内に配置されるモーターから本体の上側に装着された容器の内部に回転可能に配置される加工部材（例えば、ブレード）に回転力を伝達し、加工部材を高速回転させることによって容器内の食物を加工することができる。
【０００３】
ところが、このようなブレンダーには多様な騒音発生源があり得る。例えば、モーターから加工部材に駆動力を伝達するメカニズムや、容器内で食物が加工部材及び容器の内壁とぶつかることによって大きな騒音が発生し得る。このような騒音は、ユーザーが周辺の人と対話することを妨害するほどに大きく、または、周囲に快適な環境を造成することを妨害するほどに大きいので、遮断される必要がある。
【０００４】
従来において、ブレンダーの作動時に発生する騒音を遮断するためのブレンダー用エンクロージャーの一例が大韓民国特許第１０−１６３１９７９号に開示されている。このエンクロージャーは、モーターを収納する食物加工機用ベース部材上に配置される本体部と、本体部の上部に対して旋回可能に連結され、上方に反り返ったカバーと、カバーの外側面の下部に設けられる取っ手とを含む。
【０００５】
しかしながら、このような従来のエンクロージャーは、ブレンダーの容器及び容器の取っ手まで収容するので、サイズが大きく、カバーの開閉時に使用されるカバー用取っ手が別途に必要となる。また、カバーがエンクロージャーの前方部を構成しているので、カバーが重いだけでなく、ユーザーが容器の取っ手を掴むためにカバーを開放するためにはエンクロージャーの前方部が全面開放されなければならないので、エンクロージャーの本体部とカバーとの間の分離されたラインが長く、このラインを通して騒音が漏洩しており、騒音遮断効果が低下するという問題がある。
【先行技術文献】
【特許文献】
【０００６】
【特許文献１】大韓民国特許第１０−１６３１９７９号（２０１１．０４．２７公開）
【発明の概要】
【発明が解決しようとする課題】
【０００７】
本発明は、上述した問題を解消するためになされたものであって、コンパクトでありながらも、構成が簡単で、且つ使用が便利で、騒音遮断効果が向上した騒音遮断装置を有するブレンダーを提供する。
【課題を解決するための手段】
【０００８】
本発明の一実施様態によれば、食物を加工するためのブレンダーにおいて、内部に収容された前記食物を加工するための加工部材が回転可能に装着される容器；前記容器に連結される取っ手；前記容器が上側に搭載され、内部に前記加工部材を回転させるための駆動力を供給する駆動装置を収容する本体；及び前記本体に連結され、前記容器を収容する閉鎖空間を形成するための騒音遮断装置として、前記取っ手が前記騒音遮断装置の外部に配置されるように構成される前記騒音遮断装置；を含む、ブレンダーが提供される。
【０００９】
前記騒音遮断装置は、前記本体の上面に連結され、上端が開放された下部遮断壁と、前記下部遮断壁の上部に回転可能に連結され、前記下部遮断壁の開放された上端を開閉できる上部遮断壁とを含んでもよい。
【００１０】
前記上部遮断壁の下部には、前記取っ手が前記騒音遮断装置の外部に延長されることを許容する取っ手露出溝が形成されてもよい。
【００１１】
前記取っ手は、前記容器に直接連結される取っ手取付部と、前記取っ手取付部から下側に延長される把持部とを含み、前記取っ手取付部は、前記上部遮断壁の閉鎖時に前記取っ手露出溝に嵌合されてもよい。
【００１２】
前記取っ手露出溝にはシーリング部材が設けられてもよい。
【００１３】
前記本体の上面には、前記下部遮断壁が外側表面を取り囲むように連結される連結突起が上側に突出してもよい。
【００１４】
前記容器の下部には、前記連結突起の内側表面に接するように挿入される装着部が設けられてもよい。
【００１５】
前記ブレンダーは排気装置をさらに含み、前記排気装置は、前記本体に配置される真空ポンプと、前記上部遮断壁に配置される吸入部と、前記真空ポンプと前記吸入部とを連結する排気ラインとを含んでもよい。
【００１６】
前記ブレンダーは、前記上部遮断壁を回転させるヒンジと、前記本体から縦方向に延長され、前記ヒンジに連結されるヒンジ柱とをさらに含み、前記排気ラインは前記ヒンジ柱を通して延長されてもよい。
【００１７】
前記排気ラインは２つの部分で構成され、前記２つの部分の互いに向かい合う一端には、前記上部遮断壁の閉鎖時には互いを連結させ、前記上部遮断壁の開放時には互いを分離させるように構成されるカップリング部材が設けられてもよい。
【００１８】
前記上部遮断壁には圧力ゲージが設けられ、前記圧力ゲージは、前記排気ラインと流体的に連通するシリンダー部材と、前記シリンダー部材内でスライディング可能なピストン部材と、前記ピストン部材に復元力を加えることができる復元力部材とを含んでもよい。
【００１９】
前記ブレンダーは、前記上部遮断壁の開閉により、互いに接触し、互いに離隔するように前記上部遮断壁及び下部遮断壁又はこれらの周辺部に設けられる感知部及び第１被感知部をさらに含み、前記感知部と前記第１被感知部とが接触すると前記駆動装置が回転し、前記感知部と前記第１被感知部とが離隔すると前記駆動装置の回転が停止する。
【００２０】
前記ブレンダーは、前記蓋に形成される押し棒挿入口を開閉できるように前記蓋にヒンジ式で連結されるソケットと、前記ソケットに設けられる第２被感知部とをさらに含み、前記第２被感知部は、前記ソケットの開放時に前記感知部に接触できるように設けられ、前記駆動装置の回転を可能にすることもできる。
【００２１】
前記下部遮断壁は前記本体と着脱可能に連結されてもよい。
【００２２】
前記騒音遮断装置は、下端が開放され、上端が閉鎖され、内部が空洞となっている柱形状である単一部材の騒音遮断壁を含み、前記取っ手は、前記容器の下部に連結されて上側に延長されてもよい。
【００２３】
前記本体の上面には、前記騒音遮断壁の開放された下端が外側表面を取り囲むように連結される連結突起が上側に突出してもよい。
【００２４】
前記容器の下部には、前記連結突起の内側表面に接するように挿入される装着部が設けられてもよい。
【００２５】
前記連結突起には、前記取っ手が前記騒音遮断壁の外部に延長されることを許容する取っ手露出溝が形成されてもよい。
【００２６】
前記騒音遮断壁の下端には、前記取っ手が延長されることを許容する取っ手露出溝が形成されてもよい。
【００２７】
前記ブレンダーは排気装置をさらに含み、前記排気装置は、前記本体に配置される真空ポンプと、前記騒音遮断壁の上部に配置される吸入部と、前記真空ポンプと前記吸入部とを連結する排気ラインとを含んでもよい。
【図面の簡単な説明】
【００２８】
【図１】本発明の第１実施形態に係るブレンダーの斜視図である。
【図２】図１のブレンダーの上部遮断壁が少し開放された状態を示す斜視図である。
【図３】図１のブレンダーの上部遮断壁が図２の上部遮断壁より開放され、容器の上部が完全に露出した状態を示す斜視図である。
【図４】図１のブレンダーから容器が除去された状態を示す斜視図である。
【図５】図１のＶ−Ｖ線に沿った一変形例の断面図である。
【図６】本発明の第１実施形態の他の変形例の分解斜視図である。
【図７】本発明の第１実施形態の更に他の変形例の断面図である。
【図８】図７のブレンダーの圧力ゲージの動作原理を示す部分断面図である。
【図９】本発明の第１実施形態の更に他の変形例の斜視図である。
【図１０】ソケットが開放された状態の図９のブレンダーの斜視図である。
【図１１】本発明の第２実施形態に係るブレンダーの斜視図である。
【図１２】図１１のブレンダーの騒音遮断装置が一部開放された状態を示す斜視図である。
【図１３】図１１のブレンダーの騒音遮断装置が完全に分離された状態を示す斜視図である。
【図１４】図１１のＩＸ−ＩＸ線に沿った他の変形例の断面図である。
【図１５】図１１のＩＸ−ＩＸ線に沿った他の変形例の断面図である。
【発明を実施するための形態】
【００２９】
以下、添付の図面を参照して本発明に係る実施形態について説明する。
【００３０】
（第１実施形態）
まず、図１〜図１０を参照して、本発明の第１実施形態及びその変形例に係る騒音遮断装置を含むブレンダーについて説明する。
【００３１】
図１は、本発明の一実施形態に係るブレンダー１０の斜視図で、図２は、図１のブレンダー１０の上部遮断壁２２が少し開放された状態の斜視図で、図３は、図１のブレンダー１０の上部遮断壁２２が図２の上部遮断壁２２より開放され、容器１１の上部が完全に露出した状態の斜視図で、図４は、図１のブレンダー１０から容器１１が除去された状態を示す斜視図で、図５は、図１のＶ−Ｖ線に沿った一変形例の断面図で、図６は、本発明の第１実施形態の他の変形例の分解斜視図で、図７及び図８は、それぞれ本発明の第１実施形態の更に他の変形例の断面図及び作動原理を示す部分断面図で、図９及び図１０は、本発明の第１実施形態の更に他の変形例の斜視図である。
【００３２】
本発明の一実施形態に係るブレンダー１０は、加工する食物を収容するための容器１１と、容器１１の一側に取り付けられ、ユーザーが把持できる取っ手１２と、上側に容器１１が装着され、この容器１１の内部に露出するように容器１１に回転可能に装着される加工部材１１２に駆動力を供給するための駆動装置１５が収容される本体（body）１３と、ブレンダー１０の作動中に容器１１及び容器１１と本体１３との間で発生する騒音を遮断するために、本体１３と共に形成される閉鎖空間内に容器１１を収容する騒音遮断装置２０とを含む。一方、騒音遮断装置２０は、容器１１を取り囲むように構成されるが、容器１１の一側に取り付けられた取っ手１２は、騒音遮断装置２０の外部に配置されるように構成される。また、図５に示したように、本発明の一変形例に係るブレンダー１０は、容器１１内部の空気を排気するための排気装置３０をさらに含んでもよい。
【００３３】
容器１１は、加工する食物が投入されるために上部に形成された開口を開閉するための蓋１１１と、内部に収容された食物を加工するための加工部材１１２とを含む。容器１１は、本体１３の上面１３１に形成された搭載部に配置されてもよく、これによって、加工部材１１２は、本体１３の内部に収容された駆動装置１５から駆動軸及びギアなどを含む回転力伝達メカニズムを通して駆動力を受けることができる。
【００３４】
容器１１の一側に取り付けられる取っ手１２は、容器１１と直接連結される取付部（attachment portion）１２１と、ユーザーが掴める把持部１２２とを備える。取付部１２１は、容器１１から突出し、後述する騒音遮断装置２０の上部遮断壁２２の閉鎖時に取っ手露出溝２２１（図２参照）と嵌合（engage）できるように構成されてもよい。このように、取付部１２１が取っ手露出溝２２１と嵌合されると、取っ手露出溝２２１を通して漏洩し得る騒音が確実に遮断できる。
【００３５】
取付部１２１は、図面では直方体形状に構成されているが、本発明はこれに限定されるものではなく、取っ手露出溝２２１の形状に応じて、これに対応するように他の形状に構成されてもよい。また、取付部１２１は、側方向に段差を有するように形成されてもよい。すなわち、容器１１にさらに近接した取付部１２１の部分が取っ手露出溝２２１の幅より広く形成されてもよく、その反対も可能である。
【００３６】
また、取付部１２１は、図１〜図７で上部遮断壁２２の取っ手露出溝２２１にのみ挿入されるように構成されるが、本発明はこれに限定されるものではなく、例えば、他の実施形態によれば、下部遮断壁２１に取っ手露出溝（図示せず）が形成されると、取付部１２１全体又は下側部分が下部遮断壁２１の取っ手露出溝を通して延長されたり、又はこれと嵌合されるように構成されてもよい。
【００３７】
また、取付部１２１の下側部分に下端から上側に延長される溝が形成され、容器１１が本体１３の搭載部に配置されると、下部遮断壁２１の上端の一部がこの溝に挿入され得る。
【００３８】
取っ手１２の把持部１２２は、取付部１２１から側方向に延長される部分と、この部分から下側に延長される部分とを含んで構成されてもよい。側方向に延長される部分により、下側に延長される部分と後述する下部遮断壁２１との間にユーザーの手が挿入できる間隔が形成され得る。
【００３９】
把持部１２２は、図１〜図５で四角柱形状に構成されるが、本発明はこれに限定されるものではなく、ユーザーが掴める多様な形状に構成され得る。例えば、把持部１２２は、下部遮断壁２１と密着するように構成されるリング形状に構成されてもよく、把持部１２２の下端部などにおいて、後述する下部遮断壁２１の外側表面に密着できる突出部が設けられる形状に構成されてもよい。
【００４０】
容器１１の蓋１１１は、容器１１の上部に形成される開口に着脱可能に装着されてもよい。容器１１の蓋１１１の上部には、図５に示すように、上部遮断壁２２の閉鎖時に排気装置３０の吸入部３３と連結できるチェックバルブ１１７（図８を参照）が設けられてもよい。この場合、排気装置３０の真空ポンプ３１が作動すると、容器１１内部の空気がバルブ及び排気ライン３２を通して外部に排出され得るので、容器１１内部の真空度を高めることができる。また、この場合、吸入部３３とチェックバルブ１１７との連結は、直接的な連結でなく、吸入部３３とチェックバルブ１１７との間に間隔を置いた空気連通的な連結であってもよい。すなわち、吸入部３３がチェックバルブ１１７と当接することはないが、蓋１１１の周囲の空気を吸い込むことによって、騒音遮断装置２０の内部空間２０１の真空度が高くなり、その結果、容器１１内部の空気がチェックバルブを通して容器１１の外部に流れ出ることによって吸入部３３とチェックバルブ１１７とが連結され得る。
【００４１】
また、蓋１１１の上側表面は、図１に示すように、上部遮断壁２２の閉鎖時に上部遮断壁２２の下側表面によって押圧され、その押圧力が容器１１に伝達され、容器１１の振動が抑制できるように容器１１及び蓋１１１の寸法が定められてもよい。
【００４２】
本発明の一実施形態に係る騒音遮断装置２０は、下端がブレンダー１０の本体１３の上面に気密状態で連結され、上端が開放されたチューブ形状に構成され、内部空間２０１に容器１１が収容されるとき、少なくとも容器１１の下側部分を取り囲むように構成される下部遮断壁２１と、下部遮断壁２１の上側開口を開閉できるように回転可能に下部遮断壁２１に連結され、下端は開放され、上端は閉塞されたチューブ形状に構成され、下部遮断壁２１によって取り囲まれた容器１１の残りの部分を取り囲むように構成される上部遮断壁２２とを含む。
【００４３】
騒音遮断装置２０の下部遮断壁２１及び上部遮断壁２２は、透明材質で形成されてもよく、二重壁の構造を有してもよい。
【００４４】
騒音遮断装置２０には、上述したように、容器１１の取っ手１２が騒音遮断装置２０の外部に延長されて配置されることを許容する取っ手露出溝２２１が形成される。このように、騒音遮断装置２０の外部に容器１１の取っ手１２が配置されるので、騒音遮断装置２０をより小型且つコンパクトに構成することができる。また、容器１１の取っ手１２が騒音遮断装置２０の外部に露出するので、上部遮断壁２２と下部遮断壁２１とが分けられる部分、すなわち、分離ライン４０、特に前方分離ライン４１をより高い場所に位置させることができ、後方分離ライン４２も高い場所に位置させ、その結果、上部遮断壁２２のサイズを減少させることができる。これにより、上部遮断壁２２がユーザーによってより容易に（小さな力で）開放又は閉鎖できるだけでなく、騒音が発生する位置から分離ライン４０がより遠くなるので、分離ライン４０を通して騒音が漏洩する現象も減少し得る。
【００４５】
また、上述したように、騒音遮断装置２０の外部に容器１１の取っ手１２が露出しているので、容器１１を騒音遮断装置２０から除去するとき、容器１１の取っ手１２を掴み、容器１１を上側に持ち上げることによって上部遮断壁２２が開放され得る。その結果、上部遮断壁２２を開放するための別途の取っ手が必要でないので、騒音遮断装置２０の構成がさらに簡単になり得る。
【００４６】
上述したように、騒音遮断装置２０の取っ手露出溝２２１は、図１〜図７に示したように、上部遮断壁２２に形成されてもよいが、下部遮断壁２１又はこれらの全てに形成されてもよい。
【００４７】
また、図５に示したように、取っ手露出溝２２１を形成する縁部には、気密性を向上させ、騒音の漏洩を抑制するためのシーリング部材、例えば、パッキン２２２が設けられてもよい。このとき、上部遮断壁２２に形成された取っ手露出溝２２１の３個の辺及び取っ手露出溝２２１に対応する下部遮断壁２１の上端にシーリング部材が設けられてもよい。
【００４８】
騒音遮断装置２０の後方には、図示したように、本体１３から縦方向に延長されるヒンジ柱２３１が設けられてもよい。この場合、ヒンジ柱２３１の上端にはヒンジ２３の下部が連結されてもよい。ヒンジ２３の上側には上部遮断壁２２が連結され、ヒンジ２３の下側の一側部は下部遮断壁２１に連結されてもよい。しかし、後述するように、下部遮断壁２１が本体１３から着脱可能である場合は（図６参照）、ヒンジ２３が下部遮断壁２１に連結されない。
【００４９】
また、ヒンジ柱２３１の内部には、図５に示したように、本体１３内部の真空ポンプ３１と上部遮断壁２２の吸入部３３とを流体的に連結する排気ライン３２が配置又は形成されてもよい。
【００５０】
また、ヒンジ柱２３１は、ヒンジ２３の上側に上部遮断壁２２と連結される上端部分２３３（図５、図６及び図９を参照）をさらに備えてもよい。排気ライン３２は、ヒンジ柱２３１及び上端部分２３３を通して延長されてもよい。また、排気ライン３２は、例えば、図９及び図１０に示したように、上端遮断壁２２の開放時に排気ライン３２が分離されるように構成されてもよい。この場合、排気ライン３２の上部遮断壁２２に配置される部分と、ヒンジ柱２３１に配置される部分とが互いに容易に分離され、気密状態で連結できるように、例えば、雄雌形態のカップリング部材３２１及び３２２がそれぞれヒンジ柱２３１の上端及び上端部分２３３に設けられてもよい。
【００５１】
このような構成によれば、騒音遮断装置２０に収容された容器１１を外部に取り出すために容器１１の取っ手１２を持ち上げるとき、上部遮断壁２２が開放され、カップリング部材３２１及び３２２での排気ライン３２の連結状態が解除されながら、吸入部３３と容器１１の蓋１１１との間に形成された真空が解除され得るので、容器１１を外部に搬出する作業が容易になり得る。
【００５２】
下部遮断壁２１は、本体１３の上面１３１に気密状態で固定的に又は着脱可能に連結されてもよい。特に、図６に示すように、これらが着脱可能に連結される場合、本体１３の上面１３１に連結突起１３２が設けられてもよい。連結突起１３２は、上面１３１から予め決定された高さだけ突出し、平面上で見たとき、閉曲線に又は間欠的に形成されてもよい。連結突起１３２の側方向の外側面には下部遮断壁２１の内側表面が密着することによって、下部遮断壁２１が連結突起１３２に連結され得る。このように着脱可能な構成によれば、下部遮断壁が本体から着脱可能であるので、下部遮断壁の洗浄作業が容易に実施され得る。また、下部遮断壁が本体から除去されると、本体上部の掃除作業が容易に実施され得る。
【００５３】
また、連結突起１３２の側方向の内側面には、容器１１の下側に設けられる装着部１１４が密着することによって容器１１が本体１３に装着され得る。
【００５４】
このような構成によれば、駆動装置１５と容器１１の回転軸１１３とが連結される部分で発生する騒音が、三重壁、すなわち、容器１１の装着部１１４、連結突起１３２及び下部遮断壁２１の下部によって遮断され得るので、騒音遮断効果を高めることができる。
【００５５】
上部遮断壁２２は、上述したように、ヒンジ２３によって下部遮断壁２１と回転可能に連結され、分離ライン４０で下部遮断壁２１の上端と当接するように構成されてもよい。また、上部遮断壁２２は、分離ライン４０で下部遮断壁２１の上端の外側面を取り囲むように寸法が定められてもよく、下部遮断壁２１の上端の内側面に接触させるために下部遮断壁２１の内側に挿入されるように寸法が定められてもよい。分離ライン４０には、シーリング部材、例えば、パッキン（図示せず）などが設けられ、騒音が分離ライン４０を通して漏洩することを効果的に減少させることができる。
【００５６】
騒音遮断装置２０は、内部に容器１１が収容された状態で、容器１１の外側表面と騒音遮断装置２０の内側表面との間に一定の間隔が形成されるように寸法が定められてもよい。
【００５７】
また、ブレンダー１０は、図４に示すように、下部遮断壁２１の上端に配置され、上部遮断壁２２の閉鎖時に上部遮断壁２２によって押されて駆動装置１５の回転を可能にし、その反対に、上部遮断壁２２の開放時に押された状態が解除され、駆動装置１５の回転を中止させたり、回転を不可能にするための駆動中断スイッチ５０をさらに含んでもよく、この場合、ブレンダー１０の安全性を向上できる安全モード運転が可能である。さらに、容器１１を騒音遮断装置２０から分離するために容器１１を持ち上げて上部遮断壁２２が開放されると、駆動装置１５の回転が中止し得るので、使用の便利性が向上する。
【００５８】
代替的に、ブレンダー１０は、上述した安全モード運転のために、図９に示すように、上部遮断壁２２の開閉によって回路が開閉できるように構成される感知部５１及び第１被感知部５２をさらに含んでもよい。例えば、第１被感知部５２は、ヒンジ柱２３１の上端に設けられる磁石で構成されてもよく、上部遮断壁２２の閉鎖時に第１被感知部５２と実質的に接触できるように上端部分２３３に位置するリード（reed）スイッチで構成されてもよい。よって、上部遮断壁２２が閉鎖され、第１被感知部５２が感知部５１に実質的に接触すると、感知部５１の回路が閉鎖され、駆動装置１５が回転し得る。逆に、上部遮断壁２２が開放され、第１被感知部５２が感知部５１から離隔すると、感知部５１の回路が開放され、駆動装置１５の回転が停止したり、回転が不可能な状態になり得る。
【００５９】
また、ブレンダー１０は、図９及び図１０に示すように、容器１１の蓋１１１に設けられる押し棒挿入口１１７を開閉できるように蓋１１１にヒンジ式で連結されるソケット１１６に設けられる第２被感知部５３をさらに含んでもよい。第２被感知部５３は、押し棒挿入口１１７を開放するためにソケット１１６が開放されると、感知部５１に接触できるようにソケット１１６に配置され得る。例えば、第２被感知部５３は磁石で構成され、ソケット１１６が開放され、第２被感知部５３が感知部５１に接触すると、上部遮断壁２２の開放によって開放された感知部５１の回路が再び閉鎖され得る。よって、容器１１内部の食物を押し棒（図示せず）で加工部材１１２に加圧するために、ソケット１１６を完全に開放すると、感知部５１の回路が閉鎖され、駆動装置１５が再び回転し得る。
【００６０】
図７は、本発明の第１実施形態の更に他の変形例の断面図を示している。この変形例に係るブレンダーは、騒音遮断装置２０に設けられる排気装置の真空圧力をユーザーに可視的に表示するための圧力ゲージ９０をさらに含む。
【００６１】
圧力ゲージ９０は上部遮断壁２２に設けられてもよい。圧力ゲージ９０は、排気装置３０の排気ライン３２から延長されるゲージ連結ライン９４と、ゲージ連結ライン９４に連結されて吸入力を受けるシリンダー部材９１と、シリンダー部材９１内でスライディング可能に配置されるピストン部材９２と、このピストン部材９２を元の位置に復帰させるために復元力をピストン部材９２に作用させる復元力部材９３とを含む。シリンダー部材９１の一部分は、透明部材９５（図８の一点鎖線の円内の図面を参照）で形成され、シリンダー部材９１の内部でスライディングされるピストン部材９２（又は、ピストン部材９２に連結されたインジケーター（図示せず）など）が外部に見られる。また、シリンダー部材９１には、ピストン部材９２のスライディングが容易に行われるようにシリンダー部材９１とピストン部材９２によって形成される内部空間と外部空間とを連通するホール（図示せず）が生成されてもよい。
【００６２】
図８を参照して、圧力ゲージ９０の作動を説明する。図８の一点鎖線の円内の図面は、上部遮断壁の上側から見たシリンダー部材９１の平面図である。ブレンダー１０の真空ポンプ３１が作動すると、排気ライン３２に吸入力が形成され、この吸入力は、吸入部３３に作用すると同時に、ゲージ連結ライン９４を通してシリンダー部材９１の内部にも作用し得る。このとき、シリンダー部材９１の内部から空気が排気されることによって、ピストン部材９２は図中の左側に移動する。このとき、復元力部材９３が圧縮されながら復元力が生成される。このように、ピストン部材９２は、シリンダー部材９１の真空度が大きくなるほどさらに左側に移動するので、ユーザーは、透明部材９５を通して見られるピストン部材９２の位置から容器１１内部の真空度を判断することができる。
【００６３】
（第２実施形態）
以下、図１１〜図１５を参照して、本発明の第２実施形態に係る騒音遮断装置を含むブレンダーに対して説明する。
【００６４】
図１１は、本発明の第２実施形態に係るブレンダーの斜視図で、図１２は、騒音遮断装置が一部開放された状態の図１１のブレンダーの斜視図で、図１３は、騒音遮断装置が完全に分離された状態の図１１のブレンダーの斜視図で、図１４及び図１５は、図１１のＩＸ−ＩＸ線に沿った変形例の断面図である。
【００６５】
第２実施形態に係るブレンダー６０は、駆動装置１５（図５を参照）を収容し、操作部が設けられる本体１３と、本体１３の上部に装着される容器６１と、容器６１の外側表面に連結される取っ手６２と、下端が開放され、上端が閉鎖され、内部が空洞となっている柱形状で、内部に容器６１を収容するように本体１３の上部に着脱可能に連結される騒音遮断装置７０とを含む。一方、騒音遮断装置７０は、内部に容器６１を収容するように構成されるが、容器６１の一側に付着した取っ手６２は、騒音遮断装置７０の外部に配置されるように構成される。また、図５に示した排気装置３０をさらに含んでもよい。
【００６６】
容器６１は、加工する食物が投入されるために上部に形成された開口を開閉するための蓋６１１と、内部に収容された食物を加工するための加工部材（図示せず）とを含む。容器６１は、本体１３の上面１３１に形成された搭載部に配置されてもよく、その結果、加工部材は、本体１３の内部に収容された駆動装置から駆動軸及びギアなどを含む回転力伝達メカニズムを通して駆動力を受けることができる。
【００６７】
容器６１の下端一側に取り付けられた取っ手６２は、容器６１と直接連結される取付部６２１と、ユーザーが掴める把持部６２２とを備える。取付部６２１は容器６１から突出し、後述する騒音遮断装置７０の騒音遮断壁７１の閉鎖時、騒音遮断装置７０の下端に形成される取っ手露出溝７１１を通して延長されるように構成されてもよい。また、取付部６２１は取っ手露出溝７１１と嵌合され、取っ手露出溝７１１を通して漏洩し得る騒音が確実に遮断され得る。また、第１実施形態と同様に、取っ手露出溝７１１を形成する縁部には、シーリング部材、例えば、パッキン（図示せず）が設けられてもよい。
【００６８】
代替的に、図１１〜図１３に示す場合とは異なり、騒音遮断装置７０に取っ手露出溝７１１が形成されなくてもよい。すなわち、図１４及び図１５に示す変形例のように、取っ手６２の取付部６２１は、後述する連結突起１３２に形成される取っ手露出溝１３４を通して外部に延長されてもよい。
【００６９】
取付部６２１は、図１１〜図１５に示す例では直方体形状に構成されているが、本発明はこれに限定されるものではなく、取っ手露出溝７１１又は１３４と嵌合できるように取っ手露出溝７１１又は１３４の形状に応じて、これに対応する形状に多様に構成され得る。また、取付部６２１は、側方向に段差を有するように形成されてもよい。例えば、容器６１にさらに近接した取付部６２１の部分が取っ手露出溝７１１又は１３４の幅より広く形成されてもよく、その反対も可能である。
【００７０】
また、取付部６２１の両側部に上端から下端に延長される溝が形成され、容器６１が本体１３の搭載部に装着された状態で騒音遮断装置７０が装着されるとき、取っ手露出溝７１１の両側周辺部がこの溝に挿入されてもよい。
【００７１】
取っ手６２の把持部６２２は、取付部６２１から側方向に延長される部分と、この部分から上側に延長される部分とを含んで構成されてもよい。側方向に延長される部分により、上側に延長される部分と後述する騒音遮断壁７１との間にユーザーの手が挿入できる間隔が形成され得る。
【００７２】
把持部６２２は、図１１〜図１５に示す例では四角柱形状に構成されているが、本発明はこれに限定されるものではなく、ユーザーが掴める多様な形状に構成され得る。例えば、把持部６２２は、騒音遮断壁７１と密着するリング形状に構成されてもよく、把持部６２２の上端部などにおいて、後述する騒音遮断壁７１の外側表面に密着できる突出部が設けられる形状に構成されてもよい。
【００７３】
容器６１の蓋６１１は、容器６１の上部に形成される開口に着脱可能に装着されてもよい。容器６１の蓋６１１の上部には、騒音遮断壁７１が被せられたとき、図５に示した排気装置の吸入部と連結できるチェックバルブ（図示せず）が設けられてもよい。この場合、排気装置の真空ポンプが作動すると、容器６１内部の空気がチェックバルブ及び排気ラインを通して外部に排出され得るので、容器６１内部の真空度を高めることができる。また、この場合、吸入部とチェックバルブとの連結は、直接的な連結でなく、吸入部とチェックバルブとの間に間隔を置いた空気連通的な連結であってもよい。すなわち、吸入部がチェックバルブと当接することはないが、蓋６１１の周囲の空気を吸い込むことによって、騒音遮断装置７０の内部空間の真空度が高くなり、容器６１内部の空気がチェックバルブを通して容器６１の外部に流動することによって吸入部とチェックバルブとが連結され得る。
【００７４】
また、蓋６１１の上側表面が、図１１に示すように騒音遮断壁７１が被せられたとき、騒音遮断壁７１の下側表面によって押され、その押される力が容器６１に伝達され、容器６１の振動が抑制できるように騒音遮断壁７１、容器６１及び蓋６１１の寸法が定められてもよい。
【００７５】
本発明の第２実施形態に係る騒音遮断装置７０の騒音遮断壁７１は、下端がブレンダー６０の本体１３の上面に気密状態で連結され、上端が閉鎖された柱形状に構成され、内部空間に容器６１が収容されるとき、容器６１全体を取り囲むように構成される。
【００７６】
騒音遮断装置７０には、上述したように、容器６１の取っ手６２が騒音遮断装置７０の外部に配置されるので、騒音遮断装置７０をより小型且つコンパクトに構成することができる。また、容器６１の取っ手６２が騒音遮断装置７０の下部に露出するので、騒音遮断壁７１を単一部材で形成することが可能であり、製造工程が簡単になり得る。さらに、騒音が漏れ出る隙間がなくなり、騒音遮断効果が向上し得る。
【００７７】
また、上述したように、騒音遮断装置７０の外部に容器６１の取っ手６２が露出しているので、容器６１を騒音遮断装置７０から除去するとき、容器６１の取っ手６２を掴み、容器６１を上側に持ち上げることによって、騒音遮断壁７１が本体１３から分離され得る。その結果、騒音遮断壁７１を開放するための別途の取っ手が必要でないので、騒音遮断装置７０の構成がさらに簡単になり得る。
【００７８】
また、騒音遮断壁７１の内部には、図５に示した変形例のように、本体１３内部の真空ポンプ３１と騒音遮断壁７１の吸入部（図示せず）とを流体的に連結する排気ライン（図示せず）が配置又は形成されてもよい。
【００７９】
騒音遮断壁７１は、本体１３の上面１３１に気密状態で着脱可能に連結されてもよい。このために、本体１３の上面１３１に連結突起１３２が設けられてもよい。連結突起１３２は、上面１３１から予め決定された高さだけ突出し、平面上で見たとき、閉曲線に又は間欠的に形成されてもよい。連結突起１３２の側方向の外側面には騒音遮断壁７１の内側表面が密着することによって、騒音遮断壁７１が連結突起１３２に連結され得る。このように着脱可能な構成によれば、騒音遮断壁が本体から着脱可能であるので、騒音遮断壁の洗浄作業が容易に実施され得る。また、騒音遮断壁が本体から除去されると、本体上部の掃除作業が容易に実施され得る。
【００８０】
連結突起１３２の外側の一部分には、連結突起１３２より側方向にさらに外側に突出して騒音遮断壁７１の取っ手露出溝７１１の下部を密閉するように構成され、取っ手６２の側方向連結部を下側で支持する取っ手支持部１３３が形成される。
【００８１】
また、連結突起１３２の側方向の内側面には、容器６１の下側に設けられる装着部１１４（図５を参照）が密着することによって容器６１が本体１３に装着され得る。
【００８２】
このような構成によれば、駆動装置と容器６１の回転軸とが連結される部分で発生する騒音が、三重壁、すなわち、容器６１の装着部１１４、連結突起１３２及び騒音遮断壁７１の下部によって遮断され得るので、騒音遮断効果を高めることができる。
【００８３】
騒音遮断装置７０は、内部に容器６１が収容された状態で、容器６１の外側表面と騒音遮断装置７０の内側表面との間に一定の間隙が形成されるように寸法が定められてもよい。また、騒音遮断壁７１は、二重壁構造で形成されてもよく、透明な材質で形成されてもよい。
【００８４】
以上、図面を参照して本発明の実施形態に対して説明したが、本発明はこれに限定されるものではない。また、この実施形態は、当業者によって多様な変形及び変更が容易に行われ得るが、この変更された実施形態も添付の特許請求の範囲によって定義される本発明の思想から逸脱しないという点に注意が必要となる。
【符号の説明】
【００８５】
１０…ブレンダー、１１…容器、１１１…蓋、１１２…加工部材、１１３…回転軸、１１４…装着部、１１６…ソケット、１１７…押し棒挿入口、１２…取っ手、１２１…取付部、１２２…把持部、１３…本体、１３１…上面、１３２…連結突起、１３４…取っ手露出溝、１４…操作部、２０…騒音遮断装置、２０１…内部空間、２１…下部遮断壁、２２…上部遮断壁、２３…ヒンジ、２２１…取っ手露出溝、２３１…ヒンジ柱、３０…排気装置、３１…真空ポンプ、３２…排気ライン、３２１，３２２…カップリング部材、４０…分離ライン、４１…前方分離ライン、４２…後方分離ライン、５０…駆動中断スイッチ、５１…感知部、５２…第１被感知部、５３…第２被感知部。
【図１】
2019516418.tif 000003
【図２】
2019516418.tif 000004
【図３】
2019516418.tif 000005
【図４】
2019516418.tif 000006
【図５】
2019516418.tif 000007
【図６】
2019516418.tif 000008
【図７】
2019516418.tif 000009
【図８】
2019516418.tif 000010
【図９】
2019516418.tif 000011
【図１０】
2019516418.tif 000012
【図１１】
2019516418.tif 000013
【図１２】
2019516418.tif 000014
【図１３】
2019516418.tif 000015
【図１４】
2019516418.tif 000016
【図１５】
2019516418.tif 000017
【国際調査報告】
2019516418.tif 000018
2019516418.tif 000019